(57)【特許請求の範囲】
【請求項１】
矩形状の天面と、矩形状の前面と、前記天面と同形の底面と、前記前面と同形の背面とがこの順序で一連に連設されており、前記天面の両サイドには天面側側面が、前記前面の両サイドには前面側継ぎ代が、前記底面の両サイドには底面側側面が、前記背面の両サイドには背面側継ぎ代がそれぞれ連設されており、前記天面の前面及び天面側側面が連設されていない辺には天面側継ぎ代が連設されており、天面と底面とを対向させるとともに、前面と背面とを対向させ、かつ天面側側面の一方と底面側側面の一方とを天面側側面の他方と底面側側面の他方と対向させることで直方体状に形成され、前記前面、前面側継ぎ代、背面及び背面側継ぎ代には、天面、天面側側面、前面の天面側及び背面の天面側を他の部分から離断させるための切断線が形成された包装箱において、
前記切断線は、前面及び背面の略中央部に形成された手掛け穴を構成する第１の切断線と、この第１の切断線の両サイドから前面、背面の端部まで形成される第２の切断線と、この第２の切断線から連続して前面側継ぎ代、背面側継ぎ代に形成される第３の切断線とを有しており、
前記前面及び背面には、第１の切断線より天面側に向かって凸となった第１の補助折線と、この第１の補助折線より両サイド側で、天面と前面及び背面との角部に向かって傾斜した第２の補助折線とが設けられており、
第１の切断線を切断して手掛け穴とし，この手掛け穴から天面方向に向かって引き上げると、第１の補助折線から上方向に折れ曲がって第２の切断線が切断されるとともに、第２の補助折線が外方向に向かって突出することで、前面側継ぎ代及び背面側継ぎ代に形成された第３の切断線が内側に向かって切断されることを特徴とする包装箱。
【請求項２】
前記第１の補助折線は、天面側に向かって凸となった２つの円弧状の罫線であることを特徴とする請求項１記載の包装箱。
【請求項３】
前記第１の補助折線は、天面側に向かって凸となった２つの小型の円弧状の罫線と、この２つの小型の円弧状の罫線の両端を始点とし、２つの小型の円弧状の罫線より天面側に位置し、かつ２つの小型の円弧状の罫線に被さる１つの大型の円弧状の罫線とから構成されることを特徴とする請求項１記載の包装箱。
【請求項４】
前記第２の切断線には、段部が形成されていることを特徴とする請求項１、２又は３記載の包装箱。
【発明の詳細な説明】
【技術分野】
【０００１】
本発明は、簡単に開梱できる包装箱に関する。
【背景技術】
【０００２】
従来のこの種の包装箱は、全体として直方体状に形成されており、天面と、この天面と同形で対向する底面と、天面と底面との間を繋ぐ前面、背面及び一対の側面とを有している。そして、この包装箱は、内容物が見えるようにして店頭で展示するため、前面及び背面に切断線を形成し、この切断線から切断することで天面を除去するようにしている。
例えば、特開２０１４−０３７２５４号公報にあるように『連続した３以上の壁部を有する囲繞壁と、前記囲繞壁の壁部に連設した壁部からなり前記囲繞壁の両端開口を閉塞する封緘壁とを備えた紙製容器において、前記囲繞壁の壁部のうちの第１壁部に設けられ、上向きに破断操作される操作部と、前記第１壁部の左右方向の側部から前記操作部に向けて内側上方向に傾斜して延び、前記操作部の操作により前記第１壁部を谷折りさせる補助折曲線と、前記操作部から前記補助折曲線の左右方向の外側端部に向けて延び、前記操作部の操作により前記操作部側から前記第１壁部を破断する第１破断線と、前記第１破断線の端部から、前記第１壁部に連設した前記封緘壁の壁部のうちの第２壁部の先端縁または前記第１壁部の上端縁にかけて延び、前記操作部の操作により前記第１破断線に沿った前記第１壁部の破断に続いて、前記第２壁部または前記第１壁部を破断する第２破断線と、を備えることを特徴とする紙製容器。』が開示されている。
【０００３】
【特許文献１】特開２０１４−０３７２５４号公報
【発明の開示】
【発明が解決しようとする課題】
【０００４】
しかしなから、上記紙製容器では、操作部を引き上げて破断させる際に、第１破断線の途中から上方に破れが走ってしまい、その結果、天面が中途半端に破断されるという事態が起こりうる。
また、第１破断線がうまく切断できたとしても、次に第２破断線を破断しなければならず、１アクションで天面を除去することができない。
【０００５】
本発明は、上記事情に鑑みて創案されたもので、天面を確実に１アクションで離断することができる包装箱を提供することを目的としている。
【課題を解決するための手段】
【０００６】
本発明に係る包装箱は、矩形状の天面と、矩形状の前面と、前記天面と同形の底面と、前記前面と同形の背面とがこの順序で一連に連設されており、前記天面の両サイドには天面側側面が、前記前面の両サイドには前面側継ぎ代が、前記底面の両サイドには底面側側面が、前記背面の両サイドには背面側継ぎ代がそれぞれ連設されており、前記天面の前面及び天面側側面が連設されていない辺には天面側継ぎ代が連設されており、天面と底面とを対向させるとともに、前面と背面とを対向させ、かつ天面側側面の一方と底面側側面の一方とを天面側側面の他方と底面側側面の他方と対向させることで直方体状に形成され、前記前面、前面側継ぎ代、背面及び背面側継ぎ代には、天面、天面側側面、前面の天面側及び背面の天面側を他の部分から離断させるための切断線が形成された包装箱であって、  前記切断線は、前面及び背面の略中央部に形成された手掛け穴を構成する第１の切断線と、この第１の切断線の両サイドから前面、背面の端部まで形成される第２の切断線と、この第２の切断線から連続して前面側継ぎ代、背面側継ぎ代に形成される第３の切断線とを有しており、
前記前面及び背面には、第１の切断線より天面側に向かって凸となった第１の補助折線と、この第１の補助折線より両サイド側で、天面と前面及び背面との角部に向かって傾斜した第２の補助折線とが設けられており、
第１の切断線を切断して手掛け穴とし，この手掛け穴から天面方向に向かって引き上げると、第１の補助折線から上方向に折れ曲がって第２の切断線が切断されるとともに、第２の補助折線が外方向に向かって突出することで、前面側継ぎ代及び背面側継ぎ代に形成された第３の切断線が内側に向かって切断されるようになっている。
【０００７】
また、前記第１の補助折線は、天面側に向かって凸となった２つの円弧状の罫線となっている。
【０００８】
また、前記第１の補助折線は、天面側に向かって凸となった２つの小型の円弧状の罫線と、この２つの小型の円弧状の罫線の両端を始点とし、２つの小型の円弧状の罫線より天面側に位置し、かつ２つの小型の円弧状の罫線に被さる１つの大型の円弧状の罫線とからなる構成にすることもできる。
【０００９】
なお、前記第２の切断線には、段部が形成されているとさらによい。
【発明の効果】
【００１０】
本発明に係る包装箱は、手掛け穴に手を入れ、上方向、すなわち天面側に向かって前面及び背面を引き上げると、第１の切断線から、その両サイドに続く第２の切断線が切断され始め、第１の補助折線が内側に向かって折れ曲がり始める。
さらに、前面及び背面を引き上げると、第２の切断線は、段部をも切断する。
これにより、第２の補助折線が外側に向かって折れ曲がり始め、天面側側面に連接された前面側継ぎ代の上半分が内側に引き込まれる。この際、前面側継ぎ代の下半分は、底面側側面に接着されているから、第３の切断線が確実に切断される。
このようにして、天面、前面の上半分（前面側継ぎ代上半分を含む）、背面の上半分（背面側継ぎ代の上半分を含む）が１アクションで離断される。
この天面等の離断の際、第１の補助折線が内側に折れ曲がるため、第２の切断線の切断を誘発し、それも段部をも含めての切断を誘発するため、切断が容易になるというメリットがある。
また、第１の補助折線の内側への折れ曲がりによって、手掛け穴から上方へと向かう破れが発生しにくくなるというメリットもある。
【図面の簡単な説明】
【００１１】
【図１】本発明の第１の実施の形態に係る包装箱の概略的斜視図である。
【図２】本発明の第１の実施の形態に係る包装箱の概略的展開図である。
【図３】本発明の第１の実施の形態に係る包装箱に手掛け穴が形成された状態を示す概略的斜視図である。
【図４】本発明の第１の実施の形態に係る包装箱に形成された手掛け穴から天面方向に向かって引き上げて、第２の切断線及び第３の切断線を切断している状態を示す概略的斜視図である。
【図５】本発明の第２の実施の形態に係る包装箱の概略的斜視図である。
【図６】本発明の第３の実施の形態に係る包装箱の概略的正面図実施の形態に係る
【図７】本発明の第４の実施の形態に係る包装箱の概略的正面図実施の形態に係る
【発明を実施するための形態】
【００１２】
本発明の実施の形態に係る包装箱１０００は、矩形状の天面１００と、矩形状の前面２００と、前記天面１００と同形の底面３００と、前記前面２００と同形の背面４００とがこの順序で一連に連設されており、前記天面１００の両サイドには天面側側面１１０Ａ、１１０Ｂが、前記前面２００の両サイドには前面側継ぎ代２１０Ａ、２１０Ｂが、前記底面３００の両サイドには底面側側面３１０Ａ、３１０Ｂが、前記背面４００の両サイドには背面側継ぎ代４１０Ａ、４１０Ｂがそれぞれ連設されており、前記天面１００の前面２００及び天面側側面１１０Ａ、１１０Ｂが連設されていない辺には天面側継ぎ代１２０が連設されており、天面１００と底面３００とを対向させるとともに、前面２００と背面４００とを対向させ、かつ一方の天面側側面１１０Ａと一方の底面側側面３１０Ａとを他方の天面側側面１１０Ｂの他方の底面側側面３１０Ｂと対向させることで直方体状に形成され、前記前面２００、前面側継ぎ代２１０Ａ、２１０Ｂ、背面４００及び背面側継ぎ代４１０Ａ、４１０Ｂには、天面１００、天面側側面１１０Ａ、１１０Ｂ、前面２００の天面１００側及び背面４００の天面１００側を他の部分から離断させるための切断線５００が形成された包装箱であって、
前記切断線５００は、前面２００及び背面４００の略中央部に形成された手掛け穴７００を構成する第１の切断線５１０と、この第１の切断線５１０の両サイドから前面２００、背面４００の端部まで形成される第２の切断線５２０Ａ、５２０Ｂと、この第２の切断線５２０Ａ、５２０Ｂから連続して前面側継ぎ代２１０Ａ、２１０Ｂ、背面側継ぎ代４１０Ａ、４１０Ｂに形成される第３の切断線５３０Ａ、５３０Ｂとを有しており、
前記前面２００及び背面４００には、第１の切断線５１０より天面１００側に向かって凸となった第１の補助折線６１０と、この第１の補助折線６１０より両サイド側で、天面１００と前面２００及び背面４００との角部に向かって傾斜した第２の補助折線６２０Ａ、６２０Ｂとが設けられており、
第１の切断線５１０を切断して手掛け穴７００とし，この手掛け穴７００から天面１００方向に向かって引き上げると、第１の補助折線６１０から上方向に折れ曲がって第２の切断線６２０Ａ、６２０Ｂが切断されるとともに、第２の補助折線６２０Ａ、６２０Ｂが外方向に向かって突出することで、前面側継ぎ代２１０Ａ、２１０Ｂ及び背面側継ぎ代４１０Ａ、４１０Ｂに形成された第３の切断線５３０Ａ、５３０Ｂが内側に向かって切断されるようになっている。
【００１３】
この包装箱１０００は、図２に示すような段ボールから組み立てられている。この包装箱１０００は、天面１００と底面３００とが同形で対向し、前面２００と背面４００とが同形で対向している。また、この包装箱１０００は、天面側側面１１０Ａと底面側側面３１０Ａとからなる一方の側面と、天面側側面１１０Ｂと底面側側面３１０Ｂとからなる他方の側面とが同形で対向している。
【００１４】
前記天面１００は長方形状に形成されている。また、前面２００も長方形に形成されているが、天面１００と比較して短辺側がかなり短く設定されている。このため、この包装箱１０００は、図１に示すように、薄型の直方体状に形成されることになり、図１に示す状態で缶飲料を立てた状態で格納するのに適している。なお、この包装箱１０００が缶飲料のみを格納するものでないことはいうまでもなく、他の物品を格納するのにも利用されることは当然である。
【００１５】
前記天面１００の一対の短辺からは、天面側側面１１０Ａ、１１０Ｂがそれぞれ延設されている。この天面側側面１１０Ａ、１１０Ｂの短辺の長さ寸法は、前記前面２００の短辺の長さ寸法の１／２より若干短く設定されている。また、この天面側側面１１０Ａ、１１０Ｂは、短辺が若干傾斜することで略台形状に形成されている。また、天面側側面１１０Ａ、１１０Ｂの角部は丸く形成されている。
【００１６】
また、底面３００は、前記天面１００と同形に形成されているので、底面３００の一対の短辺からは、底面側側面３１０Ａ、３１０Ｂがそれぞれ延設されている。この底面側側面３１０Ａ、３１０Ｂの短辺の長さ寸法は、前記前面２００の短辺の長さ寸法の１／２より若干短く設定されている。また、この底面側側面３１０Ａ、３１０Ｂは、短辺が若干傾斜することで略台形状に形成されている。また、底面側側面３１０Ａ、３１０Ｂの角部は丸く形成されている。
【００１７】
一方、前記前面２００は、一対の長辺を天面１００、底面３００と共有することで、天面１００と底面３００との間に挟まれた状態になっている。この前面２００の一対の短辺からは、前面側継ぎ代２１０Ａ、２１０Ｂがそれぞれ延設されている。この前面側継ぎ代２１０Ａ、２１０Ｂは、天面側側面１１０Ａ、１１０Ｂ及び底面側側面３１０Ａ、３１０Ｂが糊付けされる部分となる。
【００１８】
この前面２００及びその両サイドに連設された前面側継ぎ代２１０Ａ、２１０Ｂには、切断線５００が形成されている。なお、図１においては、切断線５００は破線で示している。
かかる切断線５００は、前面２００の略中央部に形成された手掛け穴７００を構成する第１の切断線５１０と、この第１の切断線５１０の両サイドから前面２００の端部まで形成される第２の切断線５２０Ａ、５２０Ｂと、この第２の切断線５２０Ａ、５２０Ｂから連続して前面側継ぎ代２１０Ａ、２１０Ｂに形成される第３の切断線５３０Ａ、５３０Ｂとを有している。
なお、第２の切断線５２０Ａ、５２０Ｂをつなぐ第３の補助折線７１０が形成されている。この第３の補助折線７１０は、第１の切断線５１０を切断して手掛け穴７００を形成する際に折り曲がる部分である。
【００１９】
前記第３の切断線５３０Ａ、５３０Ｂは、前面側継ぎ代２１０Ａ、２１０Ｂの略中央部分を横切るように形成されている。これは、天面側側面１１０Ａと底面側側面３１０Ａとに接着された前面側継ぎ代２１０Ａが切断される際、第３の切断線５３０Ａより上側は天面側側面１１０Ａに、下側は底面側側面３１０Ａに接着した状態で切断されるようにするためであり、天面側側面１１０Ｂと底面側側面３１０Ｂとに接着された前面側継ぎ代２１０Ｂが切断される際、第３の切断線５３０Ｂより上側は天面側側面１１０Ｂに、下側は底面側側面３１０Ｂに接着した状態で切断されるようにするためである。
なお、この第３の切断線５３０Ａ、５３０Ｂは、鉤状に屈曲した切目が断続するいわゆるジッパー線となっている。
【００２０】
また、前記第１の切断線５１０は、前面２００の略中央部の底面３００寄り、すなわち下側に、上方向に開放された台形状に形成されている。この第１の切断線５１０を切断することで形成された舌片体を第３の補助折線７１０から内側に押し込むことによって手掛け穴７００が形成される。なお、この第１の切断線５１０は、切目が断続するミシン目となっている。
【００２１】
さらに、前記第２の切断線５２０Ａ、５２０Ｂは、前記第１の切断線５１０と，第３の切断線５３０Ａ、５３０Ｂとをそれぞれ繋ぐものである。この第２の切断線５２０Ａ、５２０Ｂも切目が断続するミシン目となっている。
第１の切断線５１０は前面２００の下よりに形成され、第３の切断線５３０Ａ、５３０Ｂは前面側継ぎ代２１０Ａ、２１０Ｂの略中央部分を横切るように形成されているので、第２の切断線５２０Ａ、５２０Ｂには、段部５４０Ａ、５４０Ｂがそれぞれ形成されている。この段部５４０Ａ、５４０Ｂが形成されることによって、第１の切断線５１０と第３の切断線５３０Ａ、５３０Ｂとが繋がるようになっている。
【００２２】
また、前記前面２００には、第１の補助折線６１０と、第２の補助折線６２０Ａ、６２０Ｂとが設けられている。なお、図１、図２及び図３においては、第１の補助折線６１０は一点鎖線で、第２の補助折線６２０Ａ、６２０Ｂは二点鎖線でそれぞれ示している。
前記第１の補助折線６１０は、前面２００の略中央部に第１の切断線５１０より天面１００側に形成されている。かかる第１の補助折線６１０は、上側、すなわち天面１００側に向かって凸となった２つの円弧状の罫線である。この２つの円弧状の罫線からなる第１の補助折線６１０は、中央部、すなわち第１の切断線５１０の中央部と、両端の第２の切断線５２０Ａ、５２０Ｂの段部５４０Ａ、５４０Ｂの部分とをそれぞれ円弧でつなぐようになっている。
一方、前記第２の補助折線６２０Ａ、６２０Ｂは、前面２００の天面１００側の角部から前記段部５４０Ａ、５４０Ｂに向かって斜め４５°で形成されている。
【００２３】
前面２００に形成された切断線５００と、第１の補助折線６１０と、第２の補助折線６２０Ａ、６２０Ｂを説明したが、背面４００にも前面２００と同様の切断線５００と、第１の補助折線６１０と、第２の補助折線６２０Ａ、６２０Ｂとが形成されている。背面４００の切断線５００等は、包装箱１０００として組み立てた場合に前面２００の切断線５００等と同じようにするため、図２に示す概略的展開図では、前面２００のそれらとは上下方向が逆になっている。
【００２４】
この包装箱１０００は、次のようにして組み立てられる。
図２に示す状態から、天面１００と前面２００との境目を山折りする。この状態で底面３００の上に商品、例えば缶飲料を立てる。さらに、背面４００を底面３００との境目で山折りするとともに、天面側継ぎ代１２０を天面１００との境目で山折りして、天面側継ぎ代１２０を背面４００に糊付けする。
さらに、前面側継ぎ代２１０Ａ、２１０Ｂを前面２００との境目で山折りするとともに、天面側側面１１０Ａ、１１０Ｂを天面１００との境目で山折りし、背面側継ぎ代４１０Ａ、４１０Ｂを背面４００との境目で山折りする。
【００２５】
その上、天面側側面１１０Ａ、１１０Ｂを天面１００との境目で山折りするとともに、底面側側面３１０Ａ、３１０Ｂを底面３００との境目で山折りし、天面側側面１１０Ａ、１１０Ｂと背面側側面３１０Ａ、３１０Ｂとを前面側継ぎ代２１０Ａ、２１０Ｂ、背面側継ぎ代４１０Ａ、４１０Ｂに糊付けする。
なお、上述の組立手順は、一例であって他の組立手順を排除する意味ではない。
【００２６】
このように構成された包装箱１０００の開封手順について図１、第３及び図４を参照しつつ説明する。なお、図１、図３及び図４には前面２００は示されているが、背面４００は示されていないが、背面４００も前面２００と同様の操作を行うので、以下では背面４００に関しても説明を行う。
まず、図３に示すように、前面２００及び背面４００の第１の切断線５１０を切断し、前面２００及び背面４００に手掛け穴７００を形成する。このさい、第１の切断線５１０から切断された部分は内側に押し込んでも、外側に出してもかまわないが、内側に押し込む方が容易である。
【００２７】
このようにして形成した手掛け穴７００に手を入れ、斜め上方向、すなわち天面１００側に向かって前面２００及び背面４００を引き上げる。
すると、第１の切断線５１０から、その両サイドに続く第２の切断線５２０Ａ、５２０Ｂが切断され始める。それとともに、第１の補助折線６１０が内側に向かって折れ曲がり始める。
【００２８】
さらに、前面２００及び背面４００を引き上げると、第２の切断線５２０Ａ、５２０Ｂは、段部５４０Ａ、５４０Ｂをも切断される。すると、図４に示すように、第２の補助折線５２０Ａ、５２０Ｂが外側に向かって折れ曲がり始める。この第２の補助折線５２０Ａ、５２０Ｂの外側への折れ曲がりが生じると、天面側側面２１０Ａ、２１０Ｂに接着された前面側継ぎ代２１０Ａ、２１０Ｂの上半分（第３の切断線５３０Ａ、５３０Ｂより上側）が内側に引き込まれる。この際、前面側継ぎ代２１０Ａ、２１０Ｂの下半分（第３の切断線５３０Ａ、５３０Ｂより下側）は、底面側側面３１０Ａ、３１０Ｂに接着されているから、第３の切断線５３０Ａ、５３０Ｂが確実に切断される。
【００２９】
このようにして、前面２００及び背面４００の第１の切断線５１０と、第２の切断線５２０Ａ、５２０Ｂと、第３の切断線５３０Ａ、５３０Ｂとが切断されると、天面１００、前面２００の上半分（前面側継ぎ代２１０Ａ、２１０Ｂの上半分を含む）、背面４００の上半分（背面側継ぎ代４１０Ａ、４１０Ｂの上半分を含む）が１アクションで離断される。
【００３０】
この天面１００等の離断の際、２つの円弧状の罫線からなる第１の補助折線６１０が内側に折れ曲がるため、第２の切断線５２０Ａ、５２０Ｂの切断を誘発し、それも段部５４０Ａ、５４０Ｂをも含めての切断を誘発するため、切断が容易になるというメリットがある。
上述した第１の補助折線６１０の内側への折れ曲がりによって、手掛け穴７００から上方へと向かう破れが発生しにくくなるというメリットもある。
【００３１】
また、第２の切断線５２０Ａ、５２０Ｂに段部５４０Ａ、５４０Ｂが形成されているため、第２の補助折線６２０Ａ、６２０Ｂの外側に向かっての折れ曲がりが誘発される。
さらに、第２の補助折線６２０Ａ、６２０Ｂが外側に向かって折れ曲がるため、第３の切断線５３０Ａ、５３０Ｂの切断が容易になるというメリットがある。
【００３２】
上述した第１の実施の形態に係る包装箱１０００では、第１の補助折線６１０を前面２００の略中央部に第１の切断線５１０より天面１００側で、かつ天面１００側に向かって凸となった２つの円弧状の罫線から構成されるとした。
しかしながら、本発明はこれに限定されるものではない。
例えば、図５に示す第２の実施の形態に係る包装箱１０００の第１の補助線６１０αのように、天面１００側に向かって凸となった２つの小型の円弧状の罫線６１０α−１と、この２つの小型の円弧状の罫線６１０α−１の両端を始点とし、２つの小型の円弧状の罫線より天面１００側に位置し、かつ２つの小型の円弧状の罫線６１０α−１に被さる１つの大型の円弧状の罫線６１０α−２とから構成とすることもできる。  この２つの小型の円弧状の罫線６１０α−１と、１つの大型の円弧状の罫線６１０α−２とから構成される第１の補助線６１０αであると、２つの小型の円弧状の罫線６１０α−１は山折り状に、１つの大型の円弧状の罫線６１０α−２は谷折り状に折れて、第２の切断線５２０Ａ、５２０Ｂ及び断部５４０Ａ、５４０Ｂが確実に切断できるというメリットがある。
【００３３】
また、図６に示す第３の実施の形態のように、第１の補助折線６１０βを天面１００側に向かって凸となった台形状の罫線とすることも可能であるし、図７に示す第４の実施の形態のように、第１の補助折線６１０γを天面１００側に向かって凸となった三角形状の罫線とすることも可能である。
このように曲線ではなく直線の罫線を組み合わせた第１の補助曲線６１０β、６１０γには、上述した第１の補助曲線６１０、６１０αと同じながら、直線状の罫線であるため、加工の際に谷折り加工がしやすいというメリットがある。
【００３４】
なお、上述した第１の補助曲線６１０α、６１０β、６１０γは、前面２００だけでなく、背面４００に形成することができることはいうまでもない。
【符号の説明】
【００３５】
１００    天面
１１０Ａ  天面側側面
１１０Ｂ  天面側側面
１２０    天面側継ぎ代
２００    前面
２１０Ａ  前面側継ぎ代
２１０Ｂ  前面側継ぎ代
３００    底面
３１０Ａ  底面側側面
３１０Ｂ  底面側側面
４００    背面
４１０Ａ  背面側継ぎ代
４１０Ｂ  背面側継ぎ代
５００    切断線
５１０    第１の切断線
５２０Ａ  第２の切断線
５２０Ｂ  第２の切断線
５３０Ａ  第３の切断線
５３０Ｂ  第３の切断線
６１０    第１の補助折線
６２０Ａ  第２の補助折線
６２０Ｂ  第２の補助折線
７００    手掛け穴
【図１】
0006531024.tif 000002
【図２】
0006531024.tif 000003
【図３】
0006531024.tif 000004
【図４】
0006531024.tif 000005
【図５】
0006531024.tif 000006
【図６】
0006531024.tif 000007
【図７】
0006531024.tif 000008